(57)【要約】      （修正有）【課題】面倒な色駒収納作業の集約や後始末を容易に出来るようにした電子的ナッピーＮゲーム器を提供する。【解決手段】ナッピーゲーム器やナッピーＮゲーム器において全駒を電子化表示とすれば、実際の色駒の移動や読み取りの過誤も無くなり、公平で厳格な競技が手間をかけずに完遂可能であるし、重量も軽減でき、手軽に多種の競技の展開が楽しめ、老若男女が享楽できる様になる。【選択図】図１
0003147892.tif 000002
【実用新案登録請求の範囲】
【請求項１】
正方形状の無色透明な薄板の裏面に、Ｎ２個の合同な小正方形の単位升のＮ個ずつを縦横に、適当な等間隔で整然と正方形状に並べた、夫々の単位升への通電や各種の加電圧の変化で、夫々の単位升を任意のＮ種以上の色に発光させて色駒となるような発光体を、微細な電導線での配線共々に直接に印刷か塗布か密着かさせたり、或いは、薄板の裏面側への、別な非伝導体のほぼ同形同大の正方形板（６４）の表面上に同前の発光体を同前の単位升の各々の位置にピッタリ合うようにして印刷か塗布密着やら同時配線をさせてある部分を密着させたりして、薄板との一体化で構成させてあると共に、Ｎ２個の単位升のそれぞれには、この薄板表面上の特定の単位升「Ｐ」のある部分に触れたり軽く押したりすると、その薄板表面からの接触加圧された状況を感知するスイッチ類が、互いに隣接単位升へは全く干渉せずに正確に目標単位升部の位置を、別設搭載の電子頭脳に指示するようにしてある構成体のＮ競技盤（５０）の、電子頭脳がこの単位升の位置を認識した状態の維持の最中に、続けて、別設の「色１」から「色Ｎ」までの色選択ボタン（１６）の中の１個の「色Ａ」のボタンを押すと、この特定した単位升Ｐが、そこに位置する発光体が、色Ａを発光して「色Ａの色駒（５１）」となるように設定してあり、かつ、Ｎ２個の単位升の個々の４辺を１周する部分には、狭い幅の帯で正方形の４辺で作る口型状に形成した升枠（２２）が（Ｎ＋１）番目の別色を個別に、「親」担当の競技者が持つ操作盤上での操作で特定された色駒色と共に、全部のＮ競技盤面上に一斉に発光するようにしてある升枠を、Ｎ２個の夫々の単位升全部に設置してある様なＮ競技盤（５０）面上の、その当該担当競技者から見たＮ競技盤の上下左右の最も端の４周縁の操作盤接続部（２０）と、それよりも少し小さめになっている、単位升群全体の正方形状の上下左右の端の升枠の外縁沿いか、その外側の少し大き目位置に所在の正方形状の外枠（２１）との間の隙間には、縦横方向の単位升の並びの延長部と一致する位置に、総数４Ｎ個のＮ色揃い表示灯（１３）を設置し、図１の様に操作盤接触部（２０）の最奥部なり、図２の様にハンディ操作盤（４１）の最奥側の適当位置には、Ｎ競技盤を作動させる電源の交流なり直流なりの電源接続用の端子（３）の受容口（２）や、最多４個のハンディ操作盤（４１）を相互に電子的に同時一緒に作動させたり、Ｎ競技盤面の単位升を個々に発光させて適当な色の色駒に変化させる色選択ボタンでの、その発色を指定できたり、同一色を発色させた直後にはあと幾つでＮに達するかの残り数「Ｎとの余数」を表示させる色駒残数表示部（５８）を置いたり、競技操作当番時に１手で色や位置を変化させた色駒群を次の競技者の１手分だけの操作中だけは変化できなくさせる色記憶ボタン（３１）や、２個の色駒の相互位置を交換させてしまえる色交換ボタン（３２）や、縦や横方向に並ぶ数個の色駒群をまとめて並びの向きに移動させる色駒移動ボタン（３３）とか、その移動後の状況を次の競技者の１手では変更できなくさせる全色確定ボタン（３４）や、最終目的のＮ競技盤の動きのスムーズ化目的の「天の声」や「白馬の騎士」の夫々のかけ声と共に押すそれぞれの発言ボタン（２６）や（２７）での、１操作当番の中で、６操作や３操作が可能とさせる、その個々の操作の度毎に、その最大３回分の使用回数の表示灯（２８）、（２９）を光らせたりの操作部分は、最多競技者分４個のハンディ操作盤（４１）夫々の個々での独立表示になっているが、その他の全ては、どの競技者の操作でも、どの盤面上でもが同時一斉に同一の変化をさせるように設定してあり、その中で、事前に決めた競技の「親」に当たる競技者が担当する同ハンディ操作盤上の、競技者の手前側の縁（４３）側の面上には、Ｎ色揃い表示灯スイッチ（１７）や、色駒残数表示用スイッチ（１８）及び、色駒の全色消去ボタン２（４０）や、それに、全単位升周囲の升枠を個々に発光させる升枠色付与ボタン（３７）や、その升枠色を個々に消す升枠色単独消去ボタン（３８）と升枠色全消去ボタン３（３９）が設置してあり、これらの管理スイッチや管理ボタンには、誤操作防止用の保護カバー（３５）を設置したような、最少１個、乃至、最多４個のハンディ操作盤で構成され、時には、色識別困難者の為には、色駒に番号を付して表示させる場合もある、電纜や無線で接続された、Ｎ競技盤の、全ての升枠間の縦横には競技の「国境線」幅の隙間を一様に設定してある４個のハンディ操作盤型の、電子的ナッピーＮゲーム器。
【請求項２】
前請求項１の電子的ナッピーＮゲーム器で、薄板（１０）の裏面部の各単位升部に夫々感圧スイッチを設置する代わりに、Ｎ競技盤（５０）の参加競技者の手前側の操作盤接続部（２０）縁と色選択ボタン（１６）との間に、Ｎ競技盤（５０）の単位升が縦方向に並ぶ延長部分に、座標を用いて、左端列をｘ座標が１の列、最手前の行をｙ座標が１の列として、単位升の位置を表示する場合に、両座標の特定を兼用しての、座標数字も記載した単位升位置指定ボタン（４７）を設定し、例えば、競技者が横座標５で縦座標６の単位升の座標（５，６）に「色５」の発光を希望する場合には、単位升位置指定ボタンを、初めに▲５▼ボタンを押してから次いで▲６▼ボタンを押し、続いて、色選択ボタンの「色５」を押せば、座標（５，６）の単位升が「色５」を発光して、色駒「色５」となるようにしてある電子的な配線を併用してあり、かつ、Ｎ個が横並びの単位升位置指定ボタンの途中の部分に、ボタンの選択を容易にする目安線（３０）を設定した、ハンディ操作盤（４１）の最多４個で構成された、電子的ナッピーＮゲーム器。
【請求項３】
前項の請求項１及び請求項２の電子的ナッピーＮゲーム器で、そのハンディ操作盤（４１）上に構成された、Ｎ競技盤（５０）の上縁部（４２）とＮ競技盤（５０）の操作盤接続部（２０）の奥上端辺部との間に、最多の競技者４名分の座席図が、１個の大きなＮ競技盤（５０）を表わす４個の２重枠の（５４０）、（５５０）、（５６０）、（５７０）を囲んでいる４競技者の中の「親」を番号１としてこれを［（１）］と表わし、この親から左回りに位置する競技者に番号を順に、番号［２］、［３］、［４］として表示して４競技者が囲んだような十字架状に描いてある夫々の手前位置には、「親」から順に左回りにそこに位置した座席位置の４通りを示した「競技者位置表示盤（５３）」を設けて、その左端の図では、その親（１）が奥に向かう側の正面にＮ競技盤が存在する状況と番号３の競技者と対面している様に描かれてあり、その右隣の図では、親の左隣の競技者２が奥正面を眺める時に、Ｎ競技盤が眼前にあるような状況図と、親（１）は右隣にいることをも示していて、３番目の図では、この競技者３の正面に親（１）が正対している状況を示し、最右の図では、競技者４の左隣に親（１）が右向きになっていることを示している様な、配置図の４点が並べてあり、４人の夫々の正面にある２重枠の競技盤には、「親」が所持した親用のハンディ操作盤に設置の、競技者位置状況切替えスイッチ（４９）を、例えば、「親」がこれを「ＯＮ」にすると、盤面表示の共通や共有はしてない夫々での「天の声」使用回数表示灯や「白馬の騎士」使用回数表示灯やの部分を除いての、その他は、全て、親の持つハンディ操作盤の盤面上の色発光状況が、他の競技者の所持盤面表示状況に全く同一に表示される様になっており、「親」が同スイッチ（４９）を「ＯＦＦ」にすると、４競技者各自が現実に、１個のＮ競技盤を取り囲んでいる状況の時の、個々人の眼前に見えるＮ競技盤の盤面の４通りが、各自のハンディ操作盤の盤面に現れる様になっている、電気配線と競技者位置状況切替えスイッチ（４９）を、請求項１と請求項２とに記載のハンディ操作盤に設置して電纜か無線で接続した１式の、電子的ナッピーＮゲーム器。
【請求項４】
前項の請求項１乃至請求項３で、主として、請求項２の電子的ナッピーＮゲーム器で、その図２（ａ）の、ハンディ操作盤の手前側の操作盤接続部よりも手前側部分の操作盤部分を大型とするのに、ハンディ操作盤の最も手前の縁の幅を操作盤接続部（２０）よりも２倍前後に広げて等脚台形の台状となし、その平行な長辺の両底角を４５°とした等脚台形状操作盤の４個を、平行な２辺の短辺側幅を外枠（２１）の外縁幅と一致させて、正方形のＮ競技盤（５０）を取り囲んで接続させられるようにして、５個の全体を蜜に組み合わせたり、等脚台形状操作盤の夫々を適当な距離だけ分離出来るように、適当な電子回路と適当な電纜で相互に接続される様な電纜接続部も設けたりする電纜関係は図３では省略してあるが、４個の大型のハンディ操作盤と１個の等脚台形状操作盤とで構成された、後者の周縁にはＮ色揃い表示灯（１３）が点滅できるように設置してあり、４個のハンディ操作盤には、全部の４個に共通同一の作りの、単位升位置指定ボタンや色選択ボタン、色駒残数表示部（５８）や、色記憶ボタン（３１）、色交換ボタン（３２）、色駒移動ボタン（３３）、全色確定ボタン（３４）、それに「天の声」発言ボタンと「天の声」使用回数表示灯、及び、「白鳥の騎士」発言ボタンと「白鳥の騎士」使用回数表示灯やらを設置してあるが、競技の「親」が担当する特定１個の図７の操作盤には、国境線を数通りに変化できたりＮ数を変えたり出来る競技盤面変更ボタン１（４４）を設けたり、Ｎ色揃い表示灯スイッチ、色駒残数表示用スイッチとか、升枠色付与ボタンや升枠色単独消去ボタン、升枠色全消去ボタン３及び全色消去ボタン２が特設されてある様な、これら管理ボタンや管理スイッチには誤操作保護目的の保護カバー（３５）を設置させて、これら５個で１式とした、電子的ナッピーＮゲーム器。
【考案の詳細な説明】
【技術分野】
【０００１】  本考案は、大衆の中の４人を限度とした色識別力と知能的競技のゲーム器に関する。
【背景技術】
【０００２】  従来のゲーム器には、将棋、囲碁、麻雀、トランプ類があり、本考案者が既に実用新案登録を得ている「ナッピーＮゲーム」或いは「ナッピーゲーム器」も既に公開されてある。（非特許文献１参照。）。【０００３】  「非特許文献１」のゲーム器では、Ｎ２個の色駒を盤面上に個人或いは４人までの競技者が順次に盤面上に任意の場所に色駒をおいて埋め尽くすまでが第１段階であった。【０００４】  その後に、盤面上に全てが置かれた色駒の適当な個々の交換操作で、競技者個人か夫々の交代者の連続操作により、縦横の１筋１筋の各行各列の全てが、全て異なる色で構成させ変える目的の競技となっていての、最初に全ての行、全ての列に同じ色の色駒を２個以上は置かせる事がない状況を完成させた者が、優勝者となる、とした競技であった。
【実用新案登録文献１】
【０００５】  「実用新案登録第３１２３６７５号の図１（ａ）（ｂ）」
この考案者・実用新案登録者は、本考案者・実用新案登録申請者と同一人。
【考案の開示】
【考案が解決しようとする課題】
【０００６】  以上に述べた従来のナッピーゲーム器やナッピーＮゲーム器では、ゲーム盤上に並べられた色駒が単位升内から外れやすくて、その整理で操作競技への思考の妨げになってしまう事が多く、ゲーム集中の妨げとなっていた。【０００７】  また、後片づけの際に、同じ色同士の色駒の整理にも手間がかかりすぎての、ゲーム器の普及の妨げとなっていた。
【課題を解決するための手段】
【０００８】  本考案では、面倒な色駒収納作業の集約が一種の面倒を回避させる目的で、それに全く関係なく後始末を容易に出来るようにするには、全てを電化すれば良いとの単純な理由で、電気利用の電化ゲーム器への思考に移った。【０００９】  その利用としては、ゲーム器の電化の結果として、電気配線の種類や結線は専門の電気関係技師に一任するとしての、電化による構造の形態をまず決定することとした。
【考案の効果】
【００１０】  以下、本考案の実施の形態を図１〜図３に基づいて説明する。【００１１】  「実用新案登録文献１」図１の（ａ）からは、まず、同「実用新案登録文献１」図１の（ｂ）の形態が連想され、本考案の最初の形態としては、複雑な請求項４の形態が想起されたが、単純な構成から複雑な構成への構造説明の方が順序よく、構成も説明も容易になるとして、本請求項１の形態を頭初に掲げてからの再構成、即ち、ハンディ操作盤４１を使用すれば良いとの結果となった。【００１２】  駒を方眼紙類似の盤面上に明確にその存在を競技者らに確認させるには、駒相当部を何の色で光り輝かせれば良いかを考え、これを「色駒」５１と呼ぶこととし、発光しない状態の部分は、「単位升」２３と呼ぶ事にした。【００１３】  いずれにしても、色駒５１を出現させるには、少なくても方形状発光体９に適当な電圧をかけたり電流通じさせたりで目的が達成できるが、通常は、３原色で、各種の色が出せるので、発光体９の構成が３原色の夫々にかける電圧電流の差異で多色発光させ得る条件の下に、正方形状の無色透明な薄板１０の裏面に色駒となる発光体と配線や端子類を適当な順序で印刷なり、塗布なり写真印刷なりすれば、目的の、競技用の色駒５１が得られる。とした。【００１４】  あるいは、その薄板の裏面に、同形同大の完全非伝導体の正方形板６４の表面に、同前の発光体９と微細な電気配線類とを、印刷とか貼り付けとかした製品とを貼り合わせ結合させて、単位升２３のＮ２個分を整然と縦横に並べて配置したＮ競技盤５０が、色駒５１を全面的に発色出来る下ごしらえが出来るとした。【００１５】  他方、ハンディ操作盤４１のほぼ中央の、Ｎ競技盤５０の色駒５１となる前のＮ２個の単位升２３の夫々の４辺の一周縁部の口型部には、わずかな幅の帯状で（Ｎ＋１）番目の色で全ての升枠２２が全て同一色を発光できる様にしてある升枠２２で囲む様に製作設置しておき、この個々の升枠には、それぞれに個々の単位升周に単独で適当数を発光させえる配線と、通電スイッチとしてはゲームの「親」に当たる者が使用するハンディ操作盤４１の盤面上に、別設３種の、升枠色付与ボタン３７、升枠色単独消去ボタン３８、「升枠色全消去ボタン３」３９が設置してあり、その操作で４台のハンディ操作盤４１の特定場所の個々の升枠が一斉に点灯したり消灯させたり出来るが、その管理は「親」がするように約束させておくが、Ｎ競技盤１個を囲む場合にも、その点滅は、親が責任もってする。【００１６】  競技開始直前に、特定された升枠の色が発光させられた単位升２３に囲まれた色駒５１の色は、同時一緒に競技開始から終了までそのままにして置かなくてはならない協約が設定されてある。【００１７】  前項の升枠が発光させてある単位升と色駒との色は、Ｎ２個の単位升の中のどれを発光をさせて置くかを決めておくことは、ある意味では、競技時間を早めるためであり、ある意味では、競技の難度を高めるといえる設定を意図する場合でもあるが、これらのどの発光してある升枠内の発光してある色も、この色駒が含まれる単位升の横１行にも縦１列にも、競技の途中での同じ色の色駒が配置されるのは良いが、最終的な結果時としては排除されるという、競技目的に合うように処��されるので、両者は競技最終まで残される。【００１８】  競技者が最多の４人であれば、４個のハンディ操作盤４１のＮ競技盤５０の色駒５１の単位升２３が並べられた縦横の最も左縁、同右縁、及び、最も上縁、同下縁の周囲に描かれてある外枠２１と、Ｎ競技盤５０の最も端のハンディ操作盤４１の中にはめ込まれてある状況の接続線となっている操作盤接続部２０との間の、単位升の縦横の並びの延長線部分に当たる位置には、Ｎ個ずづ全４Ｎ個のＮ色揃い表示灯１３が設置してあり、その発光は、Ｎ競技盤の縦の１列、又は、横の１行のＮ個の並びの単位升の色駒の全てが色違いで発光している場合に限り、自然にその両端の部分で同時に発光するように設定してある。【００１９】  前項のＮ競技盤５０のＮ色揃い表示灯１３が点灯しないようにする為には、競技者の中の「親」が持つハンディ操作盤４１の中のＮ色揃い表示灯スイッチ１７をＯＦＦにしておけば良い様に設定してあるので、この場合には、記憶力や観察力の優劣を競うことも可能となる。【００２０】  また、図１（ａ）での、縦にＮ個ずつのＮ列に並ぶ単位升が、横にＮ個でＮ行に並べてある単位升の縦方向の競技者側への延長部分の位置には、それぞれ、色選択ボタン１６がＮ色分横に並べて設置してある。【００２１】  競技者が、Ｎ競技盤５０の、例えば、最も手前の横１行に並ぶ単位升又は色駒の左端部を、平面座標のｘ座標を流用して、ｘ＝１と表記するのを単に１と表し、その右隣がｘ＝２を２、またその右隣が同様に３、…とのように略記し、最も手前の横１行の全てはｙ座標が１として、ｙ＝１部分を１とし、その１行奥側の行の全てのｙ座標＝２を２として順次に表すようにすれば、図１（ａ）のハンディ操作盤４１上のＮ競技盤５０を示す引き出し線の始点が存在する単位升のある薄板１０面上に競技者が触れるか軽く押すと、薄板１０かその下側に設置の電子的な感圧装置により、その座標が（８，９）と感知され、左端手前下が座標（１，１）と指定されている事から、その記録された順にＮ競技盤内の電子装置が働き、ハンディ操作盤４１内の電子頭脳が、その位置ｘ＝８，ｙ＝９の単位升が記憶され発光直前態勢に入る。【００２２】  その直後に、当該競技者が、その単位升位置への「色５」の発光色駒化を希望して、色選択ボタン１６の中の「色５」ボタン１６を押せば、単位升（８，９）の部分が色駒「色５」の色を発光して、以後のその位置への他の色の発光する競技者の出現まで、色駒「色５」の色がそのまま輝き続けている様にしてある。【００２３】  Ｎ競技盤５０の盤面の単位升の全てが色駒化し、かつ、Ｎ色揃い表示灯１３が全て点灯した時点、あるいは、Ｎ色揃い表示灯１３を使用しなくても、各行各列の色駒が全て同じ色のダブリが存在しないと確認できた状態を達成させた競技者が、優勝者となるとの、本、電子的ナッピーＮゲーム器での成果が確認できるようにしてある。【００２４】  競技終了後には、「親」に当たる競技者が「全色消去ボタン２」４０を押すと、全ての発光体の発光が止み、最初の開始前の状態の国境線２４の線も消滅される場合もあるが、例えばの場合として、「競技盤面変更ボタン１」４４を押してから「全色消去ボタン２」４０を押しても、国境線が残される様にする場合もある。【００２５】  同様に、升枠色付与ボタン３７を押してから「全色消去ボタン２」４０を押しても、升枠色だけは残るようにする場合もある。【００２６】  前２項の国境線２４や升枠色の残留措置は、直前の競技の条件を今一度使用しての競技が再開の可能性を残すためであり、その両者の保存のボタンやスイッチを追加する場合も、図面には示してないが、本考案の１部に含めてある。
【産業上の利用可能性】
【００２７】  上述したように、本考案による電子的ナッピーＮゲーム器は、最多４人での、知能的な囲碁等の遊戯器に匹敵する競技が可能で、かつ、国境線の変化も盤面のＮ数を小さくする事も可能であるから、老若男女を問わずの個人の記憶力向上の訓練をも可能にした、普遍的な競技盤として、世界の全ての人々に提供出来る。【００２８】  また、大型の競技盤としての図３の電子的ナッピーＮゲーム器は、国際的な競技として使用する場合に大変に有効であり、２人での対抗戦に利用すれば、国際親善にも役立ち、需要も世界人口の半数への使用が期待できる。
【図面の簡単な説明】
【００２９】
【図１】  本考案の電子的ナッピーＮゲーム器の全容であり、その（ａ）は「親」用の平面図で、子器相当には１点鎖線で囲まれた部分は設置しない場合がある、（ｂ）はその立面図
【図２】  本考案の図１の電子的ナッピーＮゲーム器に、競技者位置表示盤５３と単位升位置指定ボタン４７とを併設した電子的ナッピーＮゲーム器の、（ａ）は「親」用の平面図、（ｂ）はその立面図
【図３】  本考案の電子的ナッピーＮゲーム器を、分離可能な操作盤４の４個とＮ競技盤５０とを一体化しての接続状況部を省略してを示した、（ａ）は平面図、（ｂ）は立面図
【図４】  図１（ａ）操作盤表面２５下側手前部分の文字を図１で欠落させていた文字を再現記載したボタンやスイッチ部の再掲図
【図５】  図２（ａ）競技者位置表示盤５３の欠落文字を補充した再掲図
【図６】  図２（ａ）操作盤表面２５の下側の手前側部分の欠落文字を補充記載したボタンやスイッチを主とした再掲図
【図７】  図３（ａ）下側部分の等脚台形状操作盤４５の「親」用表面の文字の欠落部を補充記載したボタンやスイッチの再掲図
【符号の説明】
【００３０】１  競技盤本体
２  受容口
３  端子
４  操作盤
５  底面
６  側面
７  カバー側面部
８  等脚台形台上底辺面と等脚部面との稜線部
９  発光体
１０  薄板
１１  １人競技時外装部
１２  等脚台形（台）
１３  Ｎ色揃い表示灯
１４  操作盤カバー
１５  等脚部
１６  色選択ボタン
１７  Ｎ色揃い表示灯スイッチ
１８  色駒残数表示用スイッチ
１９  表面
２０  操作盤接続部
２１  外枠
２２  升枠
２３  単位升
２４  国境線
２５  操作盤表面
２６  「天の声」発言ボタン
２７  「白馬の騎士」発言ボタン
２８  「天の声」使用回数表示灯
２９  「白馬の騎士」使用回数表示灯
３０  目安線
３１  色記憶ボタン
３２  色交換ボタン
３３  色駒移動ボタン
３４  全色確定ボタン
３５  保護カバー
３６  結合体
３７  升枠色付与ボタン
３８  升枠色単独消去ボタン
３９  升枠色全消去ボタン３
４０  全色消去ボタン２
４１  ハンディ操作盤
４２  上縁部
４３  縁
４４  競技盤面変更ボタン１
４５  等脚台形状操作盤
４６  単位升Ｐ（ｘ，ｙ）
４７  単位升位置指定ボタン
４８  単位升仕切り線
４９  競技者位置状況切替えスイッチ
５０  Ｎ競技盤
５１  色駒
５３  競技者位置表示盤
５４  「親」競技者用表示盤
５４０  「親」競技者使用表示灯
５５  「親」左隣競技者用表示盤
５５０  「親」左隣競技者使用表示灯
５６  「親」正面競技者用表示盤
５６０  「親」正面競技者使用表示灯
５７  「親」右隣競技者用表示盤
５７０  「親」右隣競技者使用表示灯
５８  色駒残数表示部
５９  「天の声」利用残数表示
６０  「白鳥の騎士」利用残数表示
６１  接続電纜ソケット左部
６２  接続電纜ソケット右部
６３  親器
６４  正方形板（非伝導体の）
６５  仮の穴
６６  「天の声」の略表示
６７  「白馬の騎士」の略表示
【図１】
0003147892.tif 000003
【図２】
0003147892.tif 000004
【図３】
0003147892.tif 000005
【図４】
0003147892.tif 000006
【図５】
0003147892.tif 000007
【図６】
0003147892.tif 000008
【図７】
0003147892.tif 000009
【手続補正書】
【提出日】平成20年9月18日(2008.9.18)
【手続補正１】
【補正対象書類名】実用新案登録請求の範囲
【補正対象項目名】全文
【補正方法】変更
【補正の内容】
【実用新案登録請求の範囲】
【請求項１】
正方形状の無色透明な薄板（１０）の裏面に、Ｎ２個の合同な小正方形の単位升（２３）を縦横にＮ個ずつ、適当な等間隔で整然と正方形状に並べた、夫々の単位升への通電や各種の加電圧の変化で、夫々の単位升を任意のＮ種以上の色に発光させて電子的な色駒となるような発光体を、適当な方法と技術を駆使して、微細な電導線での配線共々に、直接に印刷か塗布か密着かさせたり、或いは、薄板の裏面側への、別な非電気伝導体のほぼ同形同大の正方形板（６４）の表面上に同前の発光体を同前の単位升の各々の位置にピッタリ合うようにして印刷か塗布密着やら同時配線をさせてある部分を密着させたりして、薄板との一体化で構成させてあると共に、Ｎ２個の単位升の夫々には、この薄板表面上の特定の単位升、例えば、「Ｐ」と名付けた単位升Ｐのある位置Ｐ部分に触れたり軽く押したりすると、その薄板表面からの接触加圧された状況を感知するスイッチ類が、互いに隣接する単位升へは全く干渉せずに正確に目標単位升部の位置Ｐを、別設搭載の電子頭脳に伝達され逆に指示され発光態勢になるようにしてある構成体のＮ競技盤（５０）の電子頭脳が、この単位升Ｐの位置を認識した状態の維持の最中に、続けて、別設の「色１」から「色Ｎ」までのＮ種Ｎ個の色選択ボタン（１６）群の中の１個の「色Ａ」のボタンを押すと、この特定した単位升Ｐが、そこに位置する発光体が、色Ａを発光して「色Ａの色駒（５１）」となるように設定してあり、かつ、Ｎ２個の単位升の個々の４辺を１周するその外側隣接部分には、比較的に狭い幅の帯で、正方形の４辺で作る□型状に形成した升枠（２２）が（Ｎ＋１）番目に異なる別色を個々別々に、競技上の「親」担当の競技者が持つ親用の操作盤（４）上での操作で、各競技者用の各々のＮ競技盤面上に一斉に、その特定された位置の升枠が、１競技試合中に、常時発光しているようにしてある升枠（２２）を、Ｎ２個の夫々の単位升全部に設置してある様な、通常は、「親」の分も込みでの、手軽作りゆえにハンディ操作盤（４１）と名付ける個体が、最大４個で１組の、各Ｎ競技盤（５０）面上の、各競技者から見たＮ競技盤の上下左右の最も端の４辺縁の操作盤接続部（２０）と、それよりも少し小さめになっている、単位升群全体の正方形状の上下左右の各端の升枠の外縁沿いか、その外側の少し大きめ位置に、適当な幅を与えて所在の正方形□状の外枠（２１）には、縦と横の２方向の単位升の並びの延長部と一致する中央位置に、総数４Ｎ個の、Ｎ色揃い表示灯（１３）を設置し、Ｎ競技盤を作動させる電源の交流なり直流なりの電源接続用の端子（３）の受容口（２）や、全部のハンディ操作盤を相互に電子的に同時一緒に作動させたり、Ｎ競技盤（５０）面上の単位升を個々に発光させて、適当な色の色駒に変化させる色選択ボタン（１６）での、その発色を指定できたり、同一色を発色させた直後には、あと幾つでＮ個に達するかの残り数「Ｎの余数」を表示させる色駒残数表示部（５８）を置いたり、競技操作当番時に、１手で色や位置を変化させた色駒群を、次の競技者の１手分だけの操作中だけは変化できなくさせる色記憶ボタン（３１）や、２個の色駒の相互位置を交換させてしまえる色交換ボタン（３２）や、縦や横方向に並ぶ数個の色駒群をまとめて並びの向きに移動させる色駒移動ボタン（３３）とか、その移動後の状況を次の競技者の１手では変更できなくさせる全色確定ボタン（３４）や、最終目的のＮ競技盤の動きのスムーズ化目的の「天の声」や「白馬の騎士」の夫々のかけ声と共に押す夫々の発言ボタン（２６）や又は（２７）での、１操作当番の中で、６操作や３操作が可能とさせられて、その個々の操作の度毎に、その最大３回分の使用回数の表示灯（２８）、又は（２９）を光らせたりの操作部分は、最多４個のハンディ操作盤（４１）夫々の個々での独立表示になっているが、その他の全ては、どの競技者の操作でも、どの盤面上でもが同時一斉に同一の変化をさせるように設定してあり、その中で、事前に決めた競技の「親」に当たる競技者が担当する「親」用ハンディ操作盤上の、競技者の手前側の縁（４３）側の面上には、Ｎ色揃い表示灯スイッチ（１７）や、色駒残数表示用スイッチ（１８）、競技盤面変更ボタン１（４４）と競技者位置状況切換えスイッチ（４９）、及び、色駒の全色消去ボタン２（４０）や、それに、全単位升の周囲の升枠を個々に発光させる升枠色付与ボタン（３７）や、その升枠色を個々に消す升枠色単独消去ボタン（３８）と升枠色全消去ボタン３（３９）が設置してあり、これらの管理スイッチや管理ボタンには、夫々に、誤操作防止用の保護カバー（３５）を設置したような、最少１個、乃至、最多４個の何れかの個数で１式１組のハンディ操作盤で構成され、全ての操作盤が電纜や無線で接続されており、どの操作盤上の共通情報に関する変化と修正の全ては、同時一緒に、どのＮ競技盤面上への変化と修正として実行されるようにした、Ｎ競技盤の、全ての升枠間の縦横部分には競技時の「国境線」（２４）幅分の隙間と同一の幅を一様に設定してあって、国境線の変化を可能にし、競技盤面変更ボタン１（４４）も設置した、電子回路やスイッチをも設置してあるような、時には、色識別困難者の為に、色駒に色の番号を付して表示させる場合もある、Ｎ競技盤の、ハンディ操作盤の数を最多で４個で１組１式とした、電子的ナッピーＮゲーム器。
【請求項２】
請求項１の電子的ナッピーＮゲーム器の全構成体に、薄板（１０）の裏面部の各単位升部に設置した夫々の感圧スイッチの代わりに、Ｎ競技盤（５０）を競技時に手にした競技者の手前側に当る、操作盤接続部（２０）の手前下辺と色選択ボタン（１６）との間に、Ｎ競技盤（５０）の単位升群が縦方向に並ぶ延長部分に、座標を用いて、左端縦列をｘ座標が１の列、最手前の横行をｙ座標が１の行として、単位升の位置を表示する場合に、両座標の特定を兼用させての、座標数字も記載した単位升位置指定ボタン（４７）を設定し、例えば、競技者が、横座標５で縦座標６の単位升の座標（５，６）に「色５」の発光を希望する場合には、単位升位置指定ボタンを、初めに▲５▼ボタンを押してから次いで▲６▼ボタンを押し、続いて色選択ボタン（１６）の「色５」を押せば、座標（５，６）の単位升が「色５」を発光して、色駒「色５」となるようにしてある電子的な配線を併用してあり、かつ、Ｎ個が横並びの単位升位置指定ボタン（４７）の途中の部分に、ボタンの選択を容易に正確にする目安線（３０）をも設定した、ハンディ操作盤（４１）の、１個乃至最多４個のいずれかで１組をなすように構成された、電子的ナッピーＮゲーム器。
【請求項３】
請求項１の機構又は請求項２の機構を設置した電子的ナッピーＮゲーム器で、そのハンディ操作盤（４１）上に構成された、Ｎ競技盤（５０）の上縁部（４２）と、Ｎ競技盤（５０）の操作盤接続部（２０）の奥上端辺部との間に、最多の競技者４名が、比較的に大きな正方形状に作成された操作盤本体（１）のＮ競技盤（５０）を拡大した盤面を囲んで１回のゲームをしている場合を想定した座席図を示した状況図を４個並べて競技者位置表示盤（５３）の枠内に示すのに、その競技の親と他の３人の計４人が盤面を夫々、手前側から奥を見る位置にいる状況時の４人の位置とＮ競技盤を２重枠の矩形で表して横並べした図に、競技盤本体（１）の夫々の競技者が見る状態の夫々を、親（１）用表示灯（５４０）、左隣２用表示灯（５５０）、正面３用表示灯（５６０）、右隣４用表示灯（５７０）と示してある部分に表示してあり、そのどれかに接触するか押すと、そこが点灯すると共に、親（１）が見る盤面「↑」に対して、左隣者番号２の者が見る盤面には左９０°回転した「←」の画面が、正面者番号３の者が見る盤面には「↓」が、同様に親の右隣の者が見る画面には「→」の様に現れる電気回路が設定してあり、その様な４通りを示すようにした「競技者位置表示盤（５３）」を設け、同時に、誰が親を交代しても直ちに上と同様に配置に番号が変化するように、４者の電纜では結線が循環出来るようにしてあり、無線では、その切換が直ちに行なわれる様にしてあり、その配置図も直ちに切り替わり、新しい親が左端に配置される様にしての、配置図の４点が並べてあり、親（１）が所持した親（１）用のハンディ操作盤に設置の、競技者位置状況切替えスイッチ（４９）を、例えば、親（１）がこれを「ＯＮ」にすると、盤面表示では共通しても共有してもいない夫々での「天の声」使用回数表示灯「天」や「白馬の騎士」使用回数表示灯「白」やの部分を除いての、その他は、全て、親（１）の持つハンディ操作盤の盤面上の色発光状況が、他の競技者の所持盤面表示状況に全く同一に表示される様になっており、親（１）が同上スイッチ（４９）を「ＯＦＦ」にすると、４競技者各自が現実に、１個のＮ競技盤を取り囲んでいる状況の時の、個々人の眼前に夫々に見えるＮ競技盤の盤面の４通りが、各自が所持のハンディ操作盤の盤面に現れる様になっている、電気電子配線と競技者位置状況切替えスイッチ（４９）を、請求項１にも請求項２にも上の競技者位置表示盤をハンディ操作盤に設置し、電纜か無線で各人の持つＮ競技盤に接続した１式形態の、電子的ナッピーＮゲーム器。
【請求項４】
請求項３で示した正方形状のＮ競技盤（５０）の外枠（２１）の外側の１辺長の大きさをＢとして、Ｂが将棋盤とか囲碁盤とか、麻雀卓とかの大きさである場合での最大競技者数４人として、本電子的ナッピーＮゲーム器を囲むのに、各自の操作盤表面（２５）を、底角が４５°の等脚台形台とし、その上底の長さがＢであるように設定してあれば、Ｎ競技盤（５０）である競技盤本体（１）の外側に４個の操作盤表面部の長さＢ部を外枠（２１）の外側の辺長Ｂに密着させ、５体を１体化した平面図が大きな正方形状となり、同時に、電気電子関係の接続をも完成させると、構成した大型の等脚台形状操作盤（４５）の長い底辺の長さが、Ｂよりも、等脚台形の高さの２倍分だけ長くなるので、構成された正方形状の、競技者４人が４周囲に位置し対峙する競技をするのに十分の幅ができることが言え、周囲の４個の等脚台形状操作盤（４５）の全てが、親器（６３）である場合には、競技者の親になった者に対応する操作盤以外の、競技者に対応する同上操作盤（４５）には管理用の保護カバー（３５）を装着させれば、管理的に固定した部分を除いて、電子的ナッピーゲームが出来るようになり、これを構成する機構をまとめて示すと、競技者の各人が、まず、第一に、全員の意見を入れて親（１）が国境線を、競技盤面変更ボタン１（４４）の操作で設定し、第２に、事前に１競技の時間内では特定の位置にある色駒の適当個とその色を指定し、その１ゲーム間には、誰もがその色駒の色を変化させたり移動できないような取り決めをしてある場合には、その適当個の升枠（２２）をも（Ｎ＋１）番目の色に発色させ終わった後に、本競技の開始する事となるが、必要のある場合には、等脚台形状操作盤の夫々を適当な距離だけ分離出来るように、適当な電子回路と適当な電纜か無線で相互に接続される様な電纜接続部又は無線接続部も設けたり構成してあるが、電纜関係無線関係は、図面上では省略してあり、既述の４個の等脚台形状操作盤と１個の正方形のＮ競技盤とで構成された、後者の周縁にはＮ色揃い表示灯（１３）が点滅できるように設置してあり、４個の等脚台形状操作盤には、全部の４個に共通同一の作りの、単位升位置指定ボタンや色選択ボタン、色駒残数表示部（５８）や、色記憶ボタン（３１）、色交換ボタン（３２）、色駒移動ボタン（３３）、全色確定ボタン（３４）、それに「天の声」発言ボタンと「天の声」使用回数表示灯、及び、「白鳥の騎士」発言ボタンと「白鳥の騎士」使用回数表示灯やらを設置してあるが、競技の「親」が担当する特定１個の操作盤には、どんな場合にも、国境線を数通りに変化できたりＮ数を変えたり出来る競技盤面変更ボタン１（４４）を設けておき、Ｎ色揃い表示灯スイッチ、色駒残数表示用スイッチとか、升枠色付与ボタンや升枠色単独消去ボタン、升枠色全消去ボタン３、及び全色消去ボタン２が特設されてある様な、これら管理ボタンや管理スイッチには誤操作保護目的の保護カバー（３５）を設置させて置くが、親ではない競技者が親を交代で担当する場合を考えて、通常は、親用の４個の等脚台形状操作盤とＮ競技盤１個の５体で１式とした、電子的ナッピーＮゲーム器。
【手続補正２】
【補正対象書類名】明細書
【補正対象項目名】００２９
【補正方法】変更
【補正の内容】
【００２９】
【図１】請求項１での電子的ナッピーＮゲーム器の全容を示した図面で、その（ａ）は、競技者の「親」用の平面図で、子器相当には１点鎖線で囲まれた管理用の部分は設置しない場合もあり、（ｂ）はその立面図
【図２】前図１の電子的ナッピーＮゲーム器に、競技者位置表示盤（５３）と単位升位置指定ボタン（４７）とを併設した電子的ナッピーＮゲーム器
【図３】前図２から競技者位置表示盤（５３）と競技盤本体（１）即ちＮ競技盤（５０）とを除いた部分の機能部を底角４５°を有する等脚台形（台）（１２）状と形成して操作盤としたその底辺の短辺がＢとした通常は「親」用の操作盤の４体のＢ辺部を、１辺がＢの正方形状のＮ競技盤（５０）の４辺部に夫々をも共々に接合した、形態の、電子的ナッピーＮゲーム器の、（ａ）は平面図、（ｂ）は立面図
【図４】図１（ａ）操作盤表面（２５）下側手前部分の文字を、図１で欠落させていた文字を再現記載したボタンやスイッチ部の再掲図
【図５】図２（ａ）競技者位置表示盤（５３）の欠落文字を補充した再掲図
【図６】図２（ａ）操作盤表面（２５）の下側の手前部分の欠落文字を補充記載したボタンやスイッチ部を主とした再掲図
【図７】図３（ａ）下側部分の等脚台形状操作盤（４５）の「親」用表面の文字の欠落部を補充記載したボタンやスイッチ部の再掲図
【手続補正３】
【補正対象書類名】明細書
【補正対象項目名】００３０
【補正方法】変更
【補正の内容】
【００３０】１  競技盤本体
２  受容口
３  端子
４  操作盤
５  底面
６  側面
７  カバー側面部
８  等脚台形台上底辺面と等脚部面との稜線部
９  発光体
１０  薄板
１１  １人競技時外装部
１２  等脚台形（台）
１３  Ｎ色揃い表示灯
１４  操作盤カバー
１５  等脚部
１６  色選択ボタン
１７  Ｎ色揃い表示灯スイッチ
１８  色駒残数表示用スイッチ
１９  表面
２０  操作盤接続部
２１  外枠
２２  升枠
２３  単位升
２４  国境線
２５  操作盤表面
２６  「天の声」発言ボタン
２７  「白馬の騎士」発言ボタン
２８  「天の声」使用回数表示灯
２９  「白馬の騎士」使用回数表示灯
３０  目安線
３１  色記憶ボタン
３２  色交換ボタン
３３  色駒移動ボタン
３４  全色確定ボタン
３５  保護カバー
３６  結合体
３７  升枠色付与ボタン
３８  升枠色単独消去ボタン
３９  升枠色全消去ボタン３
４０  全色消去ボタン２
４１  ハンディ操作盤
４２  上縁部
４３  縁
４４  競技盤面変更ボタン１
４５  等脚台形状操作盤
４６  単位升Ｐ（ｘ，ｙ）
４７  単位升位置指定ボタン
４８  単位升仕切り線
４９  競技者位置状況切替えスイッチ
５０  Ｎ競技盤
５１  色駒
５３  競技者位置表示盤
５４  親（１）用表示盤
５４０  親（１）用表示灯
５５  左隣２用表示盤
５５０  左隣２用表示灯
５６  正面３用表示盤
５６０  正面３用表示灯
５７  右隣４用表示盤
５７０  右隣４用表示灯
５８  色駒残数表示部
５９  「天の声」利用残数表示
６０  「白馬の騎士」利用残数表示
６１  接続電纜ソケット左部
６２  接続電纜ソケット右部
６３  親器
６４  正方形板（非伝導体の）
６５  仮の穴
６６  「天の声」の略表示
６７  「白馬の騎士」の略表示
【手続補正４】
【補正対象書類名】図面
【補正対象項目名】図１
【補正方法】変更
【補正の内容】
【図１】
0003147892.tif 000010
【手続補正５】
【補正対象書類名】図面
【補正対象項目名】図２
【補正方法】変更
【補正の内容】
【図２】
0003147892.tif 000011